(57)【要約】【課題】所定の温度以上にて動作可能な複数のユニットからなる自動取引装置１において、暖機が必要なユニットを確実に暖機して誤動作を発生させることなく、かつ、暖機動作の省電力化を図る。【解決手段】装置内温度Ｔｒを検出する温度検出手段６と、前記複数のユニットの最低動作温度および暖機終了温度を設定する温度設定手段としての操作部１４と、前記ユニットごとに設定された最低動作温度Ｔｏｎおよび暖機終了温度Ｔｏｆｆを格納する設定温度テーブル２７ａを備え、前記温度検出手段６にて検出した装置内温度Ｔｒが、当該ユニットの最低動作温度Ｔｏｎ以下のときは当該ユニットへの電源供給をオンとし、当該ユニットの暖機終了温度Ｔｏｆｆ以上のときは当該ユニットへの電源供給をオフするようにして運用開始前の暖機動作を行うようにした。【選択図】図２
2012032868.tif 000002
【特許請求の範囲】
【請求項１】
所定の温度以上にて動作可能な複数のユニットからなる自動取引装置において、
装置内温度を検出する温度検出手段と、
前記複数のユニットの最低動作温度および暖機終了温度を設定する温度設定手段と、
前記ユニットごとに設定された最低動作温度および暖機終了温度を格納する設定温度テーブルを備え、
前記温度検出手段にて検出した装置内温度が、当該ユニットの最低動作温度以下のときは当該ユニットへの電源供給をオンとし、当該ユニットの暖機終了温度以上のときは当該ユニットへの電源供給をオフするようにして運用開始前の暖機動作を行うようにしたことを特徴とする自動取引装置。
【請求項２】
全ユニット共通またはユニットごとに、暖機を開始する時間および暖機を終了する時間により時間帯を設定できる時間帯設定手段と、
前記設定された時間帯を格納する時間帯設定テーブルと、を備え、
前記時間帯設定テーブルに格納された時間帯のみ前記暖機動作を行うようにしたことを特徴とする請求項１記載の自動取引装置。
【請求項３】
所定の温度以上にて動作可能な複数のユニットからなる自動取引装置において、
装置内温度を検出する温度検出手段と、
前記ユニットごとに、前記温度検出手段にて検出した装置内温度に応じた暖機時間を設定する暖機時間設定手段と、
前記設定された暖機時間を格納する暖機時間設定テーブルと、を備え、
前記ユニットごとに、前記装置内温度に応じた前記暖機時間設定テーブルの暖機時間に基づいて運用開始前の暖機を行うようにしたことを特徴とする自動取引装置。
【発明の詳細な説明】
【技術分野】
【０００１】
本発明は、暖機機能を備える現金自動預払機などの自動取引装置に関するものである。
【背景技術】
【０００２】
従来の自動取引装置は、運用時の省電力を目的として、各ユニットの温度特性に関わらず、運用に必要な最小限のユニットにあらかじめ設定した時間帯のみ電源供給する技術はあった（例えば、特許文献１参照）。
【先行技術文献】
【特許文献】
【０００３】
【特許文献１】特開２０００−９０３２８号公報
【発明の概要】
【発明が解決しようとする課題】
【０００４】
しかしながら、上記従来の自動取引装置では、運用時の省電力は可能であるが、寒冷地等の自動取引装置において各ユニットが低温により動作不良が発生しないように実施する運用開始前の暖機動作における省電力についてまでは考慮されていなかった。
【課題を解決するための手段】
【０００５】
本発明は、前述の課題を解決するために次の構成を採用する。すなわち、所定の温度以上にて動作可能な複数のユニットからなる自動取引装置において、装置内温度を検出する温度検出手段と、前記複数のユニットの最低動作温度および暖機終了温度を設定する温度設定手段と、前記ユニットごとに設定された最低動作温度および暖機終了温度を格納する設定温度テーブルを備え、前記温度検出手段にて検出した装置内温度が、当該ユニットの最低動作温度以下のときは当該ユニットへの電源供給をオンとし、当該ユニットの暖機終了温度以上のときは当該ユニットへの電源供給をオフするようにして運用開始前の暖機動作を行うようにした。
【０００６】
また、前述の課題を解決するために、所定の温度以上にて動作可能な複数のユニットからなる自動取引装置において、装置内温度を検出する温度検出手段と、前記ユニットごとに、前記温度検出手段にて検出した装置内温度に応じた暖機時間を設定する暖機時間設定手段と、前記設定された暖機時間を格納する暖機時間設定テーブルと、を備え、前記ユニットごとに、前記装置内温度に応じた前記暖機時間設定テーブルの暖機時間に基づいて運用開始前の暖機を行うようにした。
【発明の効果】
【０００７】
本発明の自動取引装置によれば、以上のように構成したので、暖機が必要なユニットを確実に暖機して誤動作を発生させることなく、かつ、暖機動作の省電力化を図ることができる。
【図面の簡単な説明】
【０００８】
【図１】実施例１の自動取引装置の概観斜視図である。
【図２】実施例１の自動取引装置の制御系ブロック図である。
【図３】実施例１の自動取引装置の操作画面例および設定例である。
【図４】実施例１の自動取引装置の動作フローチャート図である。
【図５】実施例１の自動取引装置のタイムチャート図である。
【図６】実施例１の変形例の自動取引装置の操作画面例および設定例である。
【図７】実施例２の自動取引装置の操作画面例および設定例である。
【図８】実施例２の自動取引装置の動作フローチャート図である。
【発明を実施するための形態】
【０００９】
以下、本発明に係わる実施の形態例を、図面を用いて説明する。図面に共通する要素には同一の符号を付す。
【００１０】
なお、以下の説明では、金融機関等や当該屋外に設置され、顧客等の操作により入出金等の取引を行う自動取引装置を例として説明するが、両替機などの現金処理機、乗車券等の発券を行う自動券売機、或いはコピー機などであってもよい。
【実施例１】
【００１１】
（構成）
図１は、実施例１の自動取引装置の構成を示した概観斜視図である。同図に示したように、実施例１の自動取引装置は、取引開始後、硬貨を入金或いは出金する硬貨入出金口１２と、紙幣を投入或いは出金する紙幣入出金口１１と、取引操作画面を表示するとともに所定の入力を行うタッチパネルとからなる後述の温度設定手段となる操作部１４と、通帳による取引を行う場合に通帳を挿入し排出する通帳挿入排出口１５と、取引開始前の認証のためのキャッシュカード等を挿入し排出するカード挿入排出口１６とを備える。
【００１２】
また、実施例１の自動取引装置１の制御系は、図２に示したような構成となっている。すなわち、自動取引装置１の制御系は、装置内の温度を検出するためのサーミスタ６と、後述の各部の制御を行う主制御部２０と、前述の操作部１４と、キャッシュカード等に記録された情報のリードライトを行うカード処理部２１と、操作ガイダンスやアラーム音等を音声またはブザー音として出力するスピーカ部２２と、通帳の磁気ストライプのリードライトおよび通帳への印字制御を行う通帳処理部２３と、紙幣の入出金制御を行う紙幣処理部２４と、硬貨の入出金制御を行う硬貨処理部２５とを備える。
【００１３】
さらに、主制御部２０の記憶手段であって後述の温度設定テーブル２７ａや時間設定テーブル２７ｂを格納する記憶部２７、主制御部２０の制御のもとに各ユニットに電源を供給する電源部２８、上位装置であるホスト装置３１と回線３０にて接続し当該インタフェイスを制御するインタフェイス部２９を有する。
【００１４】
（動作）
以上の構成により実施例１の自動取引装置は、以下のように動作する。この動作を、図３の操作画面例、図４の動作フローチャート図および図５のタイムチャート図を用いて以下詳細に説明する。
【００１５】
まず、実施例１の自動取引装置では、操作部１４の保守メニューや保守スイッチを押下することにより、操作部１４に図３のような操作画面Ｇ４０を表示し、各ユニットの誤動作が発生しない最低温度、例えば、アクチュエータや搬送ベルトが正常に動作する最低温度としての最低動作温度Ｔｏｎ、暖機を終了してもよい温度としての暖機終了温度Ｔｏｆｆの設定或いは変更を行う。
【００１６】
同図の例では、ユニット名として紙幣処理部、硬貨処理部、カード処理部、通帳処理部を順にユニット番号とともに表示し、各ユニットの最低動作温度Ｔｏｎ、暖機終了温度Ｔｏｆｆを設定し、決定ボタン４０ａを押下して決定する。なお、設定したものをキャンセルするときはキャンセルボタン４０ｂを押下する。
【００１７】
例えば、ユニット番号Ｎ＝１として、紙幣処理部２４の最低動作温度Ｔｏｎを５℃、暖機を停止しても動作不良が発生しない暖機終了温度Ｔｏｆｆを１０℃として設定する場合は、同図３（ａ）のように「５」、「１０」を図示しないテンキー等にて入力し、決定ボタン４０ａを押下する。
【００１８】
決定ボタン４０ａが押下されると、ユニットごとに設定した最低動作温度Ｔｏｎ、暖機終了温度Ｔｏｆｆをユニット番号とともに主制御部２０の記憶部２７の温度設定テーブル２７ａに図３（ｂ）のように格納する。
【００１９】
次に、図４の動作フローチャート図を用いて暖機動作を以下詳細に説明する。まず、暖機動作が開始されると、ユニット番号Ｎを初期値「１」にセットし（ステップＳ０１）、記憶部２７の温度設定テーブル２７ａを参照して、ユニット番号Ｎ＝１、すなわち、紙幣処理部２４の最低動作温度Ｔｏｎを読出し、当該最低動作温度Ｔｏｎとサーミスタ６により検出した装置内温度Ｔｒとを比較し（ステップＳ０２）、最低動作温度Ｔｏｎ以下のときは、当該ユニット番号の電源、すなわち、紙幣処理部２４への電源供給をオンとする（ステップＳ０３）。
【００２０】
一方、装置内温度Ｔｒが最低動作温度Ｔｏｎ以下でないときは、紙幣処理部２４への電源供給をオンとすることなく、ステップＳ０４に進む。
【００２１】
そして、全ユニットの最低動作温度Ｔｏｎとの比較動作を終了したかどうかをユニット番号Ｎの値に基づいて判定し（ステップＳ０４）、まだ、全ユニットの最低動作温度Ｔｏｎとの比較動作を終了していないときは、ユニット番号Ｎを１加算し（ステップＳ０５）、ステップＳ０２に戻り、全ユニットについて同様の処理を繰り返す。
【００２２】
そして、全ユニットの最低動作温度Ｔｏｎとの比較動作を終了すると、ステップＳ０６に進み、再び、ユニット番号Ｎを初期値「１」にセットし（ステップＳ０６）、記憶部２７の温度設定テーブル２７ａを参照して、ユニット番号Ｎ＝１、すなわち、紙幣処理部２４の暖機終了温度Ｔｏｆｆを読出し、当該暖機終了温度Ｔｏｆｆとサーミスタ６により検出した装置内温度Ｔｒとを比較し（ステップＳ０７）、暖機終了温度Ｔｏｆｆ以上のときは、当該ユニット番号の電源、すなわち紙幣処理部２４への電源供給をオフとする（ステップＳ０８）。
【００２３】
一方、装置内温度Ｔｒが暖機終了温度Ｔｏｆｆ以上でないときは、紙幣処理部２４への電源供給をオフすることなく、ステップＳ０９に進む。
【００２４】
そして、全ユニットの暖機終了温度Ｔｏｆｆとの比較動作を終了したかどうかをユニット番号Ｎの値に基づいて判定し（ステップＳ０９）、まだ、全ユニットの暖機終了温度Ｔｏｆｆとの比較動作を終了していないときは、ユニット番号Ｎを１加算し（ステップＳ１０）、ステップＳ０７に戻り、全ユニットについて同様の処理を繰り返す。
【００２５】
以上の電源供給制御を行ったときの装置内温度Ｔｒの推移を図５のタイムチャート図を用いて以下詳細に説明する。なお、以下の説明では、最低動作温度Ｔｏｎおよび暖機終了温度Ｔｏｆｆが図３（ｂ）の温度設定テーブル２７ａのように設定されており、装置内温度が６．５℃の状態で暖機動作を開始する例として説明する。その他の装置内温度から暖機動作を開始する場合であっても勿論よい。
【００２６】
まず、主制御部２０の制御により暖機動作を開始すると（タイミングｔ０）、装置内温度Ｔｒが６．５℃であり、温度設定テーブル２７ａを参照すると当該装置内温度Ｔｒはカード処理部２１、通帳処理部２３の最低動作温度Ｔｏｎ以下であるので、前述図４のステップＳ０２の判定によりカード処理部２１、通帳処理部２３にてステップＳ０３に進み、カード処理部２１、通帳処理部２３への電源供給がオンとなり、装置内温度Ｔｒが上昇する。このとき、比較的低温にて動作する紙幣処理部２４、硬貨処理部２５への電源供給はオフのままとなっている。
【００２７】
そして、装置内温度Ｔｒが１０℃になると（タイミングｔ１）、前述ステップＳ０７の判定により紙幣処理部２４の暖機終了温度Ｔｏｆｆ以上となるのでステップＳ０８により紙幣処理部２４の電源供給をオフとするが、前述のように紙幣処理部２４への電源供給はオフであるので、変化はない。なお、このとき、その他のカード処理部２１、通帳処理部２３への電源供給は暖機終了温度Ｔｏｆｆ以上にはなっていないのでこれらはそのまま電源供給をオンとする状態が維持され、装置内温度Ｔｒは上昇する。
【００２８】
そして、装置内温度Ｔｒが１１℃になると（タイミングｔ２）、前述ステップＳ０７の判定により硬貨処理部２５の暖機終了温度Ｔｏｆｆ以上となるのでステップＳ０８により硬貨処理部２５の電源供給をオフとするが、前述のように硬貨処理部２５への電源供給はオフであるので、変化はない。なお、このとき、カード処理部２１、通帳処理部２３の暖機終了温度Ｔｏｆｆ以上にはなっていないのでこれらはそのまま電源供給をオンとする状態が維持され、装置内温度Ｔｒは上昇する。
【００２９】
そして、装置内温度Ｔｒが１２℃になると（タイミングｔ３）、前述ステップＳ０７の判定によりカード処理部２１の暖機終了温度Ｔｏｆｆ以上となるのでステップＳ０８によりカード処理部２１の電源供給をオフとする。なお、このとき、通帳処理部２３の暖機終了温度Ｔｏｆｆ以上にはなっていないので通帳処理部２３はそのまま電源供給をオンとする状態が維持され、温度上昇の程度は低くなるが装置内温度Ｔｒは上昇する。
【００３０】
そして、装置内温度Ｔｒが１３℃になると（タイミングｔ４）、前述ステップＳ０７の判定により通帳処理部２３の暖機終了温度Ｔｏｆｆ以上となるのでステップＳ０８により通帳処理部２３の電源供給をオフとする。これにより、すべてのユニットへの電源供給がオフとなるので、装置内温度Ｔｒは次第に下降し始めるが、各ユニットの最低動作温度Ｔｏｎまで低下するまでには、運用が開始され（タイミングｔ５）、装置内温度Ｔｒは再び上昇する。
【００３１】
なお、例えば、通帳記帳を行わない自動取引装置１の場合では、通帳処理部２３の電源供給をオフのままとし、このような場合では、カード処理部２１の暖機終了温度Ｔｏｆｆ＝１２℃以上となったときに（タイミングｔ３）、全ユニットの電源供給をオフとするので、同図破線（ｂ）のように装置内温度Ｔｒは推移する。そして、最低動作温度Ｔｏｎまで低下するまでには運用が開始され（タイミングｔ５）、装置内温度Ｔｒは再び上昇する。
【００３２】
ところで、全ユニットの電源供給をオフとし、運用を開始するまでに装置内温度Ｔｒが下降し、各ユニットの最低動作温度Ｔｏｎ以下なった場合は、同図一点鎖線（ｃ）のように、前述ステップＳ０２、Ｓ０３により最低動作温度Ｔｏｎ以下なったユニット、本例では、通帳処理部２３の最低動作温度Ｔｏｎ＝８℃以下となったときに通帳処理部２３の電源供給がオンとなり（タイミングｔｘ１）、装置内温度Ｔｒは上昇し、その後、運用が開始され（タイミングｔ５）、装置内温度Ｔｒはさらに上昇する。
【００３３】
以上のように、暖機が必要なユニットを確実に暖機し誤動作を発生させることがない、また、必要最小限の暖機動作を行うので暖機動作においても省電力化を実現することができる。
【００３４】
なお、所定の時間帯は暖機動作を必要としない場合、例えば、運用終了後の午後９時００分〜翌午前３時００分までは暖機動作を必要としないときは、図６の変形例に示したように、暖機開始時間ｔｓｔおよび暖機終了時間ｔｅｎｄを同図（ａ）の時間帯設定画面Ｇ４１のように設定できるようにし、決定ボタン４１ａの押下により同図（ｂ）の時間帯設定テーブルのように時間帯設定テーブル２７ｂとして記憶部２７に格納するようにすれば、暖機動作を午後９時に終了し、翌日の午前３時から暖機動作を開始するようにすることができる。上記暖機開始時間ｔｓｔおよび暖機終了時間ｔｅｎｄの設定は、ユニットごとに設定できるようにしてもよい。
【００３５】
その結果、不要な暖機動作をさらになくすことができるうえ、運用を開始するまでの装置内温度Ｔｒの下降もさらに最小限にすることもできる。
【００３６】
この場合、暖機を全く必要としない場合は、暖機開始時刻を運用開始中の時間帯に設定してもよいし、最低動作温度Ｔｏｎを６０℃以上などの高い温度に設定するようにしてもよい。
【００３７】
（実施例１の効果）
以上のように、実施例１の自動取引装置によれば、所定の温度以上にて動作可能な複数のユニットからなる自動取引装置において、装置内温度を検出する温度検出手段と、前記複数のユニットの最低動作温度および暖機終了温度を設定する温度設定手段と、前記ユニットごとに設定された最低動作温度および暖機終了温度を格納する設定温度テーブルを備え、前記温度検出手段にて検出した装置内温度が、当該ユニットの最低動作温度以下のときは当該ユニットへの電源供給をオンとし、当該ユニットの暖機終了温度以上のときは当該ユニットへの電源供給をオフするようにして運用開始前の暖機動作を行うようにしたので、暖機が必要なユニットを確実に暖機して誤動作を発生させることなく、かつ、暖機動作の省電力化を図ることができる。
【実施例２】
【００３８】
（構成）
実施例２の自動取引装置の構成は、操作部１４にて暖機時間を設定する暖機時間設定手段と、記憶部２７に温度設定テーブル２７ａに替えて暖機時間設定テーブル２７ｃを設けた構成となっている。その他の構成は、図１の外観斜視図および図２の制御系ブロック図に示した実施例１の構成と同様であるので簡略化のためにその詳細な説明は省略する。
【００３９】
（動作）
以上の構成により、実施例２の自動取引装置１は以下のように動作する。この動作を図７の操作画面例と、図８の動作フローチャート図を用いて以下説明する。なお、図７（ａ）はユニット番号Ｎ＝１の紙幣処理部の暖機時間設定画面例であり、図７（ｂ）は当該設定の結果を記憶部２７の暖機時間設定テーブル２７ｃに格納した例を示す。
【００４０】
まず、暖機時間を設定する暖機時間設定手段として主制御部２０の制御のもと操作部１４にて設定する暖機時間設定動作について図７を用いて以下説明する。
【００４１】
例えば、設定番号Ｍ＝１の設定温度範囲Ｔｘとして装置内温度Ｔｒが−１０℃以下のときは、暖機時間ｔａは１時間３５分程度を要するとして同図（ａ）画面Ｇ４２のように設定し、設定番号Ｍ＝２の設定温度範囲Ｔｘとして装置内温度Ｔｒが−５℃以下のときは、暖機時間ｔａは１時間１０分程度を要するとして同図（ａ）画面Ｇ４２のように設定し、設定番号Ｍ＝２の設定温度範囲Ｔｘとして装置内温度Ｔｒが０℃以下のときは、暖機時間ｔａは４５分程度を要するとして同図（ａ）画面Ｇ４２のように設定する。
【００４２】
そして、決定ボタン４２ａを押下すると、上記紙幣処理部２４の設定結果を暖機時間設定テーブル２７ｃに格納する。同様に硬貨処理部２５やカード処理部２１等についても同様に行う。なお、全ユニット共通の設定温度範囲Ｔｘと暖機時間ｔａを設定するようにしてもよい。
【００４３】
次に、図８の動作フローチャート図を用いて、上記のように設定された暖機時間設定テーブル２７ｃに基づいて実施する暖機動作を詳細に説明する。
【００４４】
まず、ユニット番号Ｎ、設定番号Ｍを初期化する（ステップＳ１１）。次に、Ｎ＝１であるので紙幣処理部２４の暖機時間テーブル２７ｃを参照し、装置内温度Ｔｒが設定温度範囲Ｔｘ（Ｍ）、すなわち、−１０℃以下かどうかを判定し（ステップＳ１２）、−１０℃以下のときは、電源供給継続タイマをｔａ（Ｍ）、すなわち１時間３５分に設定し、主制御部２０の図示しないタイマを起動し紙幣処理部２４への電源供給をオンとする（ステップＳ１３）。このタイマの起動により暖機動作のための当該ユニットへの電源供給が開始され、タイマ時間経過後に暖機動作のための当該ユニットへの電源供給はオフとなる。
【００４５】
一方、装置内温度Ｔｒが設定温度範囲Ｔｘ（Ｍ）に該当しないときは、全設定番号のチェックを終了したかどうかを判定し（ステップＳ１４）、終了していないときは、Ｍを１加算し（ステップＳ１５）、ステップＳ１２に戻り、次の設定番号Ｍについて同様の処理を実施し、これを繰り返す。
【００４６】
そして、全設定番号のチェックを終了したときは、全ユニットのチェックを終了したかどうかをユニット番号Ｎの値に基づいて判定し（ステップＳ１６）、チェックを終了していないユニットがあるときは、ユニット番号Ｎを１加算するとともに設定番号Ｍを１に初期化して（ステップＳ１７）、ステップＳ１２に戻り、次のユニットについて同様の処理を実施する。一方、ステップＳ１６により全ユニットのチェックを終了したと判定したときは、本暖機処理を終了する。
【００４７】
（実施例２の効果）
以上のように、実施例２の自動取引装置によれば、所定の温度以上にて動作可能な複数のユニットからなる自動取引装置において、装置内温度を検出する温度検出手段と、前記ユニットごとに、前記温度検出手段にて検出した装置内温度に応じた暖機時間を設定する暖機時間設定手段と、前記設定された暖機時間を格納する暖機時間設定テーブルと、を備え、前記ユニットごとに、前記装置内温度に応じた前記暖機時間設定テーブルの暖機時間に基づいて運用開始前の暖機を行うようにしたので、簡単な制御により、実施例１の効果と同様、暖機が必要なユニットを確実に暖機して誤動作を発生させることなく、かつ、暖機動作の省電力化を図ることができる。
【産業上の利用可能性】
【００４８】
以上述べたように、本発明は、暖機機能を備える現金自動預払機などの自動取引装置に広く用いることができる。
【符号の説明】
【００４９】
１    自動取引装置
６    サーミスタ
１４  操作部
２０  主制御部
２１  カード処理部
２３  通帳処理部
２４  紙幣処理部
２５  硬貨処理部
２７  記憶部
２７ａ  温度設定テーブル
２７ｂ  時間設定テーブル
２７ｃ  暖機時間設定テーブル
２８  電源部
Ｔｏｎ    最低動作温度
Ｔｏｆｆ  暖機終了温度
ｔｓｔ    暖機開始時間
ｔｅｎｄ  暖機終了時間
Ｔｘ    設定温度範囲
ｔａ    暖機時間
【図１】
2012032868.tif 000003
【図２】
2012032868.tif 000004
【図３】
2012032868.tif 000005
【図４】
2012032868.tif 000006
【図５】
2012032868.tif 000007
【図６】
2012032868.tif 000008
【図７】
2012032868.tif 000009
【図８】
2012032868.tif 000010